(57)【要約】【課題】  無線通信端末装置の実際の使用環境下における信号の品質を示す信号品質情報を通信エリア全域に亘って取得することができる無線通信システム、無線通信端末装置、及び無線通信品質情報取得方法を提供する。【解決手段】  端末１０は、基地局２０と通信を行って通信相手の端末５０と通信を行う。端末１０は、基地局２０から送信される信号の品質を示す信号品質情報を取得する信号品質情報取得部１４と、端末１０の位置情報を取得する位置情報取得部１３とを備える。制御部１７は、ユーザが操作部１５を操作して通話を終了する時（オンフック時）、又は通信相手の端末５０からの終話要求があったときに信号品質情報取得部１４が取得した信号品質情報及び位置情報取得部１３が取得した位置情報を基地局２０を介して管理装置３０に送信する。【選択図】  図１
2007005883.tif 000002
【特許請求の範囲】
【請求項１】
無線通信端末装置と無線基地局との間で行われる無線通信を制御するとともに、前記無線通信端末装置で受信される前記無線基地局からの信号の品質を示す信号品質情報を収集し、当該品質情報を管理装置にて管理する無線通信システムにおいて、
前記無線通信端末装置は、前記無線基地局から送信された信号の信号品質情報を取得する信号品質情報取得手段と、前記信号品質情報取得手段にて前記信号品質情報を取得した際の前記無線通信端末装置の位置情報を取得する位置情報取得手段と、前記信号品質情報取得手段にて取得された前記信号品質情報と前記位置情報取得手段にて取得された前記位置情報とを出力する情報出力手段とを備え、
前記管理装置は、前記情報出力手段から出力された前記信号品質情報と前記位置情報とを前記無線基地局を介して取得し、前記信号品質情報と前記位置情報とを管理し、
前記信号品質情報取得手段は、前記無線通信端末装置での通信終了操作に伴い前記無線通信が終了されるとき又は通信相手側での通信終了操作に伴い前記無線通信が終了されるときに前記信号品質情報を取得する
ことを特徴とする無線通信システム。
【請求項２】
前記信号品質情報取得手段における前記信号品質情報の取得又は前記情報出力手段における前記信号品質情報の出力の可否を選択する品質情報出力選択手段を備えることを特徴とする請求項１記載の無線通信システム。
【請求項３】
無線基地局との間で無線通信を行い、前記無線基地局から送信される信号の品質を示す信号品質情報を前記無線基地局を介して管理装置に送信する無線通信端末装置において、
前記無線基地局から送信される信号の信号品質情報を取得する信号品質情報取得手段と、
前記信号品質情報取得手段にて前記信号品質情報を取得した際の位置情報を取得する位置情報取得手段と、
前記信号品質情報取得手段にて取得された前記信号品質情報と前記位置情報取得手段にて取得された前記位置情報とを出力する情報出力手段とを備え、
前記信号品質情報取得手段は、通信終了操作に伴い前記無線通信が終了されるとき又は通信相手側での通信終了操作に伴い前記無線通信が終了されるときに前記信号品質情報を取得する
ことを特徴とする無線通信端末装置。
【請求項４】
前記信号品質情報取得手段における前記信号品質情報の取得又は前記情報出力手段における前記信号品質情報の出力の可否を選択する品質情報出力選択手段を備えることを特徴とする請求項３記載の無線通信端末装置。
【請求項５】
無線基地局から無線通信端末装置に送信される信号の品質を示す信号品質情報を取得する無線通信品質情報取得方法において、
前記無線通信端末装置での通信終了操作に伴い前記無線基地局と無線通信端末装置との間の無線通信が終了されるとき又は通信相手側での通信終了操作に伴い前記無線通信が終了されるときに前記信号品質情報を取得する第１ステップと、
前記信号品質情報が取得されたときの前記無線通信端末装置の位置情報を取得する第２ステップと、
前記第１ステップで取得された前記信号品質情報と前記第２ステップで取得された前記位置情報とを前記無線基地局を介して管理装置に送信する第３ステップと
を含むことを特徴とする無線通信品質情報取得方法。
【請求項６】
前記第１ステップにおける前記信号品質情報の取得又は前記第２ステップにおける前記信号品質情報の出力の可否を選択する第４ステップを含むことを特徴とする請求項５記載の無線通信品質情報取得方法。
【発明の詳細な説明】
【技術分野】
【０００１】
本発明は、基地局を介して行われる無線通信端末装置間の通信を制御する無線通信システム、当該無線通信システムで用いられる無線通信端末装置、及び無線通信品質情報取得方法に関する。
【背景技術】
【０００２】
従来、携帯電話機、簡易型携帯電話機（ＰＨＳ：Personal Handyphone System）、自動車電話機、その他の無線通信端末装置間で行われる通信を制御する無線通信システムにおいて、無線通信端末装置と基地局との間の無線品質を測定するには専用の機材を用いて行う必要があった。この専用の機材は、ユーザに携帯される無線通信端末装置に相当する端末装置と、その端末装置の位置を検出する位置検出装置と、端末装置から出力される信号及び位置検出装置の検出結果に基づいて端末装置が配置されている位置における電波品質を解析する解析装置とを含んでなる。そして、この専用の機材を車両に車載して移動させ、種々の位置における電波品質を検出することにより基地局の通信エリア内における無線品質を測定している。
【０００３】
また、以下の特許文献１には、ある１つの基地局の通信エリア内に存在する無線通信端末装置がその基地局の通信エリア外に移動するときに、その基地局との間の接続を隣接する他の基地局との間の接続に切り替える制御（所謂、ハンドオーバー又はハンドオフ）が行われる時点、又は無線通信端末装置が基地局の通信エリアの境界に存在する時点において、各無線通信端末装置から無線品質を示す品質情報、及びその無線通信端末装置の位置を示す位置情報を収集して無線品質を得る技術が開示されている。
【特許文献１】特開２００４−２７４３１３号公報
【発明の開示】
【発明が解決しようとする課題】
【０００４】
ところで、上述した専用の機材を用いて無線品質を測定するには、専用の機材が必要になるとともに、その機材を用いて無線品質を測定する作業員が必要になるため、コストがかかってしまうという問題があった。また、基地局の通信エリア全域に亘る無線品質の測定はコストの面から困難であるという問題があった。更に、この測定方法される無線品質は、ユーザが実際に無線通信端末装置を使用する環境とは異なる環境下において測定されたものであり、またトラフィック等の影響による時間的な要素が含まれないため、実際のユーザが使用している環境における無線品質を測定することが事実上不可能であった。
【０００５】
また、上記の特許文献１に開示された技術においては、ハンドオーバー時又は無線通信端末装置が通信エリアの境界に位置するときの品質情報を得ている。このため、通信エリアの境界付近等の特定地域の品質情報のみが収集されることになり、通信エリア全域における品質情報を収集することができないという問題があった。
【０００６】
本発明は、上記事情に鑑みてなされたものであり、無線通信端末装置の実際の使用環境下における信号の品質を示す信号品質情報を通信エリア全域に亘って取得することができる無線通信システム、無線通信端末装置、及び無線通信品質情報取得方法を提供することを目的とする。
【課題を解決するための手段】
【０００７】
上記課題を解決するために、本発明の無線通信システムは、無線通信端末装置と無線基地局との間で行われる無線通信を制御するとともに、前記無線通信端末装置で受信される前記無線基地局からの信号の品質を示す信号品質情報を収集し、当該品質情報を管理装置にて管理する無線通信システムにおいて、前記無線通信端末装置は、前記無線基地局から送信された信号の信号品質情報を取得する信号品質情報取得手段と、前記信号品質情報取得手段にて前記信号品質情報を取得した際の前記無線通信端末装置の位置情報を取得する位置情報取得手段と、前記信号品質情報取得手段にて取得された前記信号品質情報と前記位置情報取得手段にて取得された前記位置情報とを出力する情報出力手段とを備え、前記管理装置は、前記情報出力手段から出力された前記信号品質情報と前記位置情報とを前記無線基地局を介して取得し、前記信号品質情報と前記位置情報とを管理し、前記信号品質情報取得手段は、前記無線通信端末装置での通信終了操作に伴い前記無線通信が終了されるとき又は通信相手側での通信終了操作に伴い前記無線通信が終了されるときに前記信号品質情報を取得することを特徴としている。
また、本発明の無線通信システムは、前記信号品質情報取得手段における前記信号品質情報の取得又は前記情報出力手段における前記信号品質情報の出力の可否を選択する品質情報出力選択手段を備えることを特徴としている。
上記課題を解決するために、本発明の無線通信端末装置は、無線基地局との間で無線通信を行い、前記無線基地局から送信される信号の品質を示す信号品質情報を前記無線基地局を介して管理装置に送信する無線通信端末装置において、前記無線基地局から送信される信号の信号品質情報を取得する信号品質情報取得手段と、前記信号品質情報取得手段にて前記信号品質情報を取得した際の位置情報を取得する位置情報取得手段と、前記信号品質情報取得手段にて取得された前記信号品質情報と前記位置情報取得手段にて取得された前記位置情報とを出力する情報出力手段とを備え、前記信号品質情報取得手段は、通信終了操作に伴い前記無線通信が終了されるとき又は通信相手側での通信終了操作に伴い前記無線通信が終了されるときに前記信号品質情報を取得することを特徴としている。
また、本発明の無線通信端末装置は、前記信号品質情報取得手段における前記信号品質情報の取得又は前記情報出力手段における前記信号品質情報の出力の可否を選択する品質情報出力選択手段を備えることを特徴としている。
上記課題を解決するために、本発明の無線通信品質情報取得方法は、無線基地局から無線通信端末装置に送信される信号の品質を示す信号品質情報を取得する無線通信品質情報取得方法において、前記無線通信端末装置での通信終了操作に伴い前記無線基地局と無線通信端末装置との間の無線通信が終了されるとき又は通信相手側での通信終了操作に伴い前記無線通信が終了されるときに前記信号品質情報を取得する第１ステップと、前記信号品質情報が取得されたときの前記無線通信端末装置の位置情報を取得する第２ステップと、前記第１ステップで取得された前記信号品質情報と前記第２ステップで取得された前記位置情報とを前記無線基地局を介して管理装置に送信する第３ステップとを含むことを特徴としている。
また、本発明の無線通信品質情報取得方法は、前記第１ステップにおける前記信号品質情報の取得又は前記第２ステップにおける前記信号品質情報の出力の可否を選択する第４ステップを含むことを特徴としている。
【発明の効果】
【０００８】
本発明によれば、無線基地局からの信号の品質を示す信号品質情報と、信号品質情報を取得した際の無線通信端末装置の位置情報とが無線通信端末装置で取得され、無線通信端末装置での通信終了操作に伴い無線基地局との間の無線通信が終了されるとき、又は通信相手側での通信終了操作に伴い無線通信が終了されるときに取得した信号品質情報及び位置情報が無線基地局を介して管理装置に送信されて管理装置に取得される。このため、無線通信端末装置の実際の使用環境下における信号品質情報を通信エリア全域に亘って取得することができるという効果がある。
【発明を実施するための最良の形態】
【０００９】
以下、図面を参照して本発明の一実施形態による無線通信システム、無線通信端末装置、及び無線通信品質情報取得方法について詳細に説明する。図１は、本発明の一実施形態による無線通信システム及び無線通信端末装置の要部構成を示す図である。図１に示す通り、本実施形態の無線通信システムは、無線通信端末装置としての端末１０、無線基地局としての基地局２０、及び管理装置３０、並びに基地局４０及び端末５０を含んで構成される。
【００１０】
基地局２０、管理装置３０、及び基地局４０は、ネットワークＮを介して相互に接続されている。尚、端末５０は、端末１０のユーザの通信相手が携帯する端末であるとし、基地局４０は無線通信システムを構成する複数の基地局のうちの端末５０に最も近接した位置に配置されている基地局であるとする。また、基地局２０，４０には複数の端末が接続されることがあるが、ここでは簡単のために基地局２０に１つの端末１０が接続されており、基地局４０に１つの端末５０が接続されているものとする。
【００１１】
端末１０は、例えば携帯電話機、ＰＨＳ、自動車電話機、ノート型のパーソナルコンピュータである。尚、本実施形態では、端末１０がＰＨＳである場合を例に挙げて説明する。端末１０が基地局２０との間で無線通信を行い、この無線通信により送受信される信号がネットワークＮを介して基地局４０との間で送受信され、端末５０が基地局４０との間で無線通信を行うことにより、端末１０と端末５０との間で通信が行われる。
【００１２】
端末１０は、アンテナ１１、無線通信部１２、位置情報取得部１３、信号品質情報取得部１４、操作部１５、表示部１６、及び制御部１７を含んで構成される。また、図示は省略しているが、端末１０のユーザの音声を音声信号に変換するマイクロフォン部及び音声信号を音声に変換するスピーカー部も備えている。アンテナ１１は、基地局２０から送信される電波を受信するとともに、基地局２０へ送信すべき信号を電波に乗せて送信する。無線通信部１２は、アンテナ１１で受信される信号の復調、及び基地局２０に向けて送信すべき信号の変調、並びに周波数変換等の各種処理を行うとともに、アンテナ１１を介して行われる基地局２０との間の通信を制御する。
【００１３】
位置情報取得部１３は端末１０の位置を示す位置情報を取得する。具体的には、位置情報取得部１３は、ＧＰＳ（Global Positioning System）機能を備えており、このＧＰＳ機能により端末１０の位置情報を取得する。尚、位置情報取得部１３が備える機能はＧＰＳ機能に限られず、例えば複数の基地局から送信される電波の各々の強度の関係から端末１０の位置情報を得る機能であっても良く、任意の位置情報を得る機能を備えることが可能である。
【００１４】
信号品質情報取得部１４は、基地局２０から送信される信号の品質を示す信号品質情報（例えば、搬送波電力対雑音電力比（ＣＮ比））を取得する。尚、基地局２０からの信号の信号品質情報としては、上記のＣＮ比以外に、信号対雑音比（ＳＮ比）等であっても良い。操作部１５は、通話キー、終話キー、テンキー、ソフトキー等のユーザにより操作される各種キーを備えており、その操作内容に応じた操作信号を制御部１７に出力する。表示部１６は、液晶表示装置、有機ＥＬ表示装置等の表示装置を備えており、端末装置１０の動作状態、通信状態、ユーザによる操作部１５の操作内容を示す操作情報、メールの文章等の各種情報を表示する。
【００１５】
制御部１７は、端末１０の動作を制御する。具体的には、通話時には不図示のマイクロフォン部において変換された音声信号を無線通信部１２に出力して基地局２０に向けて送信させる制御を行うとともに、アンテナ１１で受信されて無線通信部１２から出力される受信信号を不図示のスピーカー部へ出力する。また、制御部１７は、ユーザが操作部１５に設けられた終話キーを操作して通話を終了する時（オンフック時）、又は通信相手の端末５０からの終話要求があったときには、信号品質情報取得部１４で取得された信号品質情報及び位置情報取得部１３で取得された位置情報を無線通信部１２及びアンテナ１１を介して基地局２０へ送信する処理を行う。尚、これらの情報を送信するか否かは、ユーザにより予め設定されていてもよく、又は送信する度にユーザに対して問い合わせを行っても良い。尚、端末５０は端末１０と同様の構成であるため、端末５０の構成についての説明は省略する。
【００１６】
基地局２０は、端末１０との間で無線通信を行うことにより、端末１０と端末５０との間で行われる通信を中継するとともに、端末１０が通信エリア外に向けて移動する場合には端末１０のハンドオーバーを行う。また、基地局２０は、端末１０に設けられた信号品質情報取得部１４と同様の機能を有する装置を備えており、端末１０から送信される信号の品質を示す信号品質情報（例えば、搬送波電力対雑音電力比（ＣＮ比））を取得する。尚、基地局４０は、基地局２０と同様の構成であるため、基地局４０の構成についての説明は省略する。
【００１７】
管理装置３０は、各端末（端末１０等）から送信される信号品質情報及び位置情報を収集し、通信エリアの全域に亘る信号品質情報を取得し、通信エリア全域に亘る信号品質の分布を管理する。この管理装置３０は、位置情報算出装置３１、品質管理サーバ３２、及びＧＩＳ（Geographical Information System：地理情報システム）ツール３３を含んで構成される。
【００１８】
位置情報算出装置３１は、端末１０を含む端末の各々から送信されてきた位置情報に基づいて各端末の位置を算出する。ＧＩＳツール３３は、例えば日本全国の地図情報を有しており、位置情報が特定されると特定された位置情報で示される位置を中心とした周辺の地図情報を出力する。品質管理サーバ３２は、位置情報算出装置３１で算出された位置をＧＩＳツール３３に渡して、その位置を中心とした地図情報を得て、その位置に収集した信号品質情報を重ね合わせて関連づけることにより、通信エリア全域に亘る信号品質の分布を管理する。
【００１９】
尚、品質管理サーバ３２は、取得した信号品質情報や位置情報に基づき通信エリア全域に亘る信号品質に応じて、当該通信エリアに対応する無線基地局を用いての無線通信を制御するように構成されている。例えば、ある通信エリアにおいて、所定レベル以下となるような好ましくない信号品質の分布割合が所定割合以上となると、その通信エリアに対応する無線基地局でのサービスを停止する等により、当該無線基地局による無線通信を制御（制限）する。
【００２０】
以上、本実施形態の無線通信システム及び無線通信端末装置の構成について説明したが、次に、本実施形態の無線通信品質情報取得方法について説明する。図２，図３は、本発明の一実施形態による無線通信品質情報取得方法を示すタイミングチャートである。図２は端末１０に設けられた終話キーを操作して通話を終了する時（オンフック時）のタイミングチャートであり、図３は通信相手の端末５０からの終話要求があったときのタイミングチャートである。以下、図２，図３に示すタイミングチャートについて順に説明する。
【００２１】
〔端末１０が通話を終了する場合の動作〕
まず、基地局２０の通話エリア内に端末１０が位置しており、基地局４０の通話エリア内に端末５０が位置している状態で、図２に示す通り、端末１０と端末５０との間で通話が行われているとする（ステップＳ１１）。この状態で、端末１０のユーザが操作部１５に設けられた終話キーを操作してオンフック状態にすると（ステップＳ１２）、端末１０の信号品質情報取得部１４は基地局２０から送信される信号の品質を示す信号品質情報を取得し、位置情報取得部１３は信号品質情報取得部１４が信号品質情報を取得した時点における位置情報を取得する。
【００２２】
信号品質情報取得部１４が取得した信号品質情報及び位置情報取得部１３が取得した位置情報は制御部１７に出力される。制御部１７は、これらの情報を無線送信部１２に出力し、アンテナ１１を介して基地局２０に送信する（ステップＳ１３）。端末１０からの信号品質情報及び位置情報を受信すると、基地局２０は端末１０から送信される信号の品質を示す信号品質情報を取得し、受信した信号品質情報及び位置情報とともに、取得した信号品質情報をネットワークＮに送出する（ステップＳ１４）。
【００２３】
尚、以下の説明では、端末１０が取得した信号品質情報と基地局２０が取得した信号品質情報とを区別するために、端末１０が取得した信号品質情報（基地局２０から送信される信号の品質を示す情報）を「基地局信号品質情報」といい、基地局２０が取得した信号品質情報（端末１０から送信される信号の品質を示す情報）を「端末信号品質情報」という。
【００２４】
基地局２０からの基地局信号品質情報及び位置情報並びに端末信号品質情報はネットワークＮを介して管理装置３０に収集される（ステップＳ１５）。管理装置３０の位置情報算出装置３１は、収集した位置情報に基づいて端末１０の位置を算出し、この位置を示す情報を品質管理サーバ３２に出力する。品質管理サーバ３２は、位置情報算出装置３１からの情報をＧＩＳツール３３に渡して、その位置を中心とした地図情報を得る。そして、収集した基地局信号品質情報及び端末信号品質情報をその地図情報に重ね合わせて関連付ける処理を行う。
【００２５】
以上の処理が終了すると、端末１０から基地局２０に切断要求が送出される。この切断要求を受信すると、基地局２０はネットワークＮに対して切断要求を送出する（ステップＳ１７）。この切断要求はネットワークＮを介して基地局４０に通知され、これにより端末１０と端末５０との間の通話が切断される。尚、端末１０でのオンフック（ステップＳ１２）後に、切断要求（ステップＳ１６）を先に行い、この切断要求処理後に各種情報を基地局に向けて送信する処理（ステップＳ１３）を行うようにしても良い。この場合、切断要求により端末５０との間の通話は切断されるが各種情報が管理装置３０へ送信されるまで通信は継続される。
【００２６】
〔通信相手の端末５０から終話要求がある場合の動作〕
まず、基地局２０の通話エリア内に端末１０が位置しており、基地局４０の通話エリア内に端末５０が位置している状態で、図３に示す通り、端末１０と端末５０との間で通話が行われているとする（ステップＳ２１）。この状態で、端末５０のユーザ（端末１０のユーザの通信相手）が端末５０の操作部に設けられた終話キーを操作してオンフック状態にすると（ステップＳ２２）、切断要求が基地局４０を介してネットワークＮに送出され、更に基地局２０に通知される（ステップＳ２３）。
【００２７】
この切断要求を受信すると、基地局２０は端末１０に対して信号品質情報送信要求を送信する（ステップＳ２４）。端末１０が基地局２０からの信号品質情報送信要求を受信すると、端末１０の信号品質情報取得部１４は基地局信号品質情報を取得し、位置情報取得部１３は信号品質情報取得部１４が基地局信号品質情報を取得した時点における位置情報を取得する。
【００２８】
信号品質情報取得部１４が取得した基地局信号品質情報及び位置情報取得部１３が取得した位置情報は制御部１７に出力される。制御部１７は、これらの情報を無線送信部１２に出力し、アンテナ１１を介して基地局２０に送信する（ステップＳ２５）。端末１０からの基地局信号品質情報及び位置情報を受信すると、基地局２０は端末１０に対して切断要求を送出する（ステップＳ２６）。これにより、端末１０と端末５０との間の通話が切断される。また、基地局２０は、端末信号品質情報を取得し、受信した基地局信号品質情報及び位置情報とともに、取得した端末信号品質情報をネットワークＮに送出する（ステップＳ２７）。
【００２９】
基地局２０からの基地局信号品質情報及び位置情報並びに端末信号品質情報はネットワークＮを介して管理装置３０に収集される（ステップＳ２８）。管理装置３０の位置情報算出装置３１は、収集した位置情報に基づいて端末１０の位置を算出し、この位置を示す情報を品質管理サーバ３２に出力する。品質管理サーバ３２は、位置情報算出装置３１からの情報をＧＩＳツール３３に渡して、その位置を中心とした地図情報を得る。そして、収集した基地局信号品質情報及び端末信号品質情報をその地図情報に重ね合わせて関連付ける処理を行う。
【００３０】
以上の処理は、端末間における終話時に行われるため、各端末の実際の使用環境下における信号品質情報（基地局信号品質情報、端末信号品質情報）を、その端末が配置されている位置に赴くことなくリアルタイムで取得することができる。また、以上の処理は複数の任意の端末間における終話時に行われるため、信号品質情報の収集が通信エリア内における端末の位置に制限されることはない。このため、無線通信端末装置の実際の使用環境下における信号品質情報を通信エリア全域に亘って取得することができる。更に、この取得結果を用いることにより、ネットワークＮの最適化を行うことが容易になる。また、収集された情報はトラフィック等の影響を含んだものであるため、時間的な通信品質の管理も可能となる。また、以上の処理は、終話操作に伴う終話時、即ちその後に通常の通信が行われにくいときに行われるので、情報の収集が通常の通信（通話等）に与える影響を抑えることができる。また、通信品質の低下等により通信状態の悪化に伴い端末１０，５０のユーザが終話操作を行った場合には、この状態での品質情報等を効果的に収集することができる。
【００３１】
以上、本発明の一実施形態による無線通信システム、無線通信端末装置、及び無線通信品質情報取得方法について説明したが、本発明は上記実施形態に制限されることなく、本発明の範囲内で自由に変更が可能である。例えば、上記実施形態では、端末１０がオンフック状態にされた時点、又は基地局２０から信号品質情報送出要求があった時点で基地局信号品質情報及び位置情報を取得していたが、端末１０の信号品質情報取得部１４及び位置情報取得部１３が一定の時間間隔で基地局信号品質情報及び位置情報を取得しておき、ユーザの操作により端末１０がオンフック状態にされた時点、又は基地局２０から信号品質情報送出要求があった時点で、最後に取得されている基地局信号品質情報及び位置情報を制御部１２が送信するようにしても良い。これは、基地局２０で端末信号品質情報を取得する場合も同様である。
【００３２】
また、上記実施形態では、端末１０がオンフック状態にされた時点、又は基地局２０から信号品質情報送出要求があった時点で、端末１０が取得した基地局信号品質情報及び位置情報を必ず基地局２０に送信していたが、これらの情報を送信するか否かを予め設定可能とすることが望ましい。かかる設定は、ユーザが操作部１５を操作して制御部１７に対して行う。また、端末１０が取得した基地局信号品質情報及び位置情報を送信する時点で、送信するか否かをユーザに問い合わせるようにしても良い。
【図面の簡単な説明】
【００３３】
【図１】本発明の一実施形態による無線通信システム及び無線通信端末装置の要部構成を示す図である。
【図２】本発明の一実施形態による無線通信品質情報取得方法を示すタイミングチャートである。
【図３】本発明の一実施形態による無線通信品質情報取得方法を示すタイミングチャートである。
【符号の説明】
【００３４】
１０    端末（無線通信端末装置）
１２    無線通信部（情報出力手段）
１３    位置情報取得部（位置情報取得手段）
１４    信号品質情報取得部（信号品質情報取得手段）
１５    操作部（品質情報出力選択手段）
１７    制御部（情報出力手段、品質情報出力選択手段）
２０    基地局（無線基地局）
３０    管理装置
【図１】
2007005883.tif 000003
【図２】
2007005883.tif 000004
【図３】
2007005883.tif 000005